(57)【要約】      （修正有）【課題】構造の単純化と高い適用性の両方を有する電子製品用コンビネーションロックを提供する。【解決手段】ロック部材１０と、ハウジング２０と、プッシュボタン３０と、２つの連結アーム４０と、ロックロープ５０とを備える。バネ１４とナンバホイール１１とがロック部材にスリーブ状に配置され、ロック部材の尖端棒の前後変位を制御する。尖端棒１２の両側に２つの連結アームが配置され、弾性体４４によりタイトな形状に形成される。尖端棒がハウジングの内側に向かって収縮すると、尖端棒はどのような形状のロック穴にも挿入することができる。尖端棒が外側に突出すると、２つの連結アームが押し出されて拡張され、連結アームのフック部４２が、ロック穴の内縁に引っ掛かる。電子製品のロック穴は、一字形、十字形、斜め穴形に限定されない。また、ロックロープを外部に巻回することにより、盗難防止機能を発揮できる。【選択図】図２
0003220916.tif 000002
【実用新案登録請求の範囲】
【請求項１】
一種の電子製品用コンビネーションロックであり、ロック部材と、ハウジングと、プッシュボタンと、２つの連結アームと、ロックロープとを含み、
前記ロック部材は、一端に複数のナンバーホイールでスリーブされ、前記ナンバーホイールは、前記ロック部材が軸方向に変位可能であるかどうかを制御し、前記ロック部材の他端には尖端棒が形成され、前記ロック部材には前記尖端棒と前記ナンバーホイールとの間にロックブロックが設けられ、また、前記ロックブロックには、前記尖端棒に向かって傾斜面部が形成され、前記ロック部材はバネによってスリーブ状にされ、前記バネは前記ロックブロックと前記ナンバーホイールとの間に挟まれて配置され、
前記ハウジングは、前記ロック部材を対称的に２つの部分で覆うようになっているので、前記ナンバーホイールの一部は前記ハウジングに露出し、前記ハウジングは、前記ロックブロックを受けるための変位空間を有し、前記ハウジングは、ロックヘッドを備えて、前記尖端棒の突き抜けを提供し、また、前記ロックヘッドには、前記尖端棒の両側に軸穴が形成され、前記軸穴から外方に延びて帯状開口部が形成され、
前記プッシュボタンは、一端が前記ハウジングの変位空間に挿入されており、かつ前記プッシュボタンは、２つの斜め押し部が対称的に延びており、前記２つの斜め押し部の間に前記尖端棒が配置され、前記斜め押し部は、前記ロックブロックの傾斜面部に当接し、  前記連結アームは、皆、一端には軸部が形成され、前記連結アームの他端にはフック部が形成され、前記軸部と前記フック部との間には規制部が形成され、また、前記連結アームは、前記軸部によって前記ハウジングの軸穴に回動が可能に配置され、前記フック部が前記ハウジングの帯状開口部を突き抜け、２つの前記連結アームの規制部は弾性体に連結され、前記弾性体の弾性力によって２つの前記連結アームが締め付けられて、前記尖端棒の通常の締め付けが行われ、
前記ロックロープの一端にはリングが設けられ、前記リングは前記ハウジングのロックヘッドに連結され、前記ロックロープによって外部に巻回されて盗難防止の効果を有することを特徴とする、電子製品用コンビネーションロック。
【請求項２】
前記ロックヘッドには、リング溝が形成されており、前記リング溝にはＣ字状連結部材が埋設され、前記リングは、前記Ｃ字状連結部材によってブロックされ、前記リングを前記ハウジングから取り外すことができず、前記リングの遮蔽によって前記Ｃ字状連結部材が取り外されることを防止することを特徴とする、請求項１に記載の電子製品用コンビネーションロック。
【請求項３】
前記弾性体はゴム製のリングであることを特徴とする、請求項１に記載の電子製品用コンビネーションロック。
【請求項４】
前記ロックヘッドには、前記帯状開口部の一面にパッドが取り付けられていることを特徴とする、請求項１に記載の電子製品用コンビネーションロック。
【請求項５】
前記連結アームは前記フック部と前記規制部との間に収縮してネック部が形成され、前記ネック部によって２つの前記フック部の間の角度が拡大されていることを特徴とする、請求項１に記載の電子製品用コンビネーションロック。
【考案の詳細な説明】
【技術分野】
【０００１】
本考案は、電子製品用コンビネーションロックに関するものであり、より詳細には、構造の単純化と高い適用性の両方を有するコンビネーションロックに関する。
【背景技術】
【０００２】
デスクトップコンピュータやノートブックコンピュータのような電子製品は、公共の場所に置かれて使用されることが多い。例えばコンピュータ教室では、生徒にデスクトップコンピュータを提供したり、図書館、公的なオフィスまたは店舗などに電子製品を置いて公共の利用を提供している。ノートブックコンピュータは小型であり、移動や盗難が容易であるため実際の使用時には、一般大衆に公的に提供されている場合、盗難防止や効果的な管理のためにロックされている。しかし、電子製品の種類は様々であり、各種ブランドの電子製品のキーホール設計も異なり、一字形タイプ、十字形タイプ、または斜め穴形タイプが一般的である。上記のキーホールは、スロットの内側よりも開口が小さくなるように設計されており、対応するロックがロック穴の開口を通過してロック穴の内部をフックしてロックし、盗難防止することができる。しかし、上記従来の構造にはまだいくつかの欠点があり、主な理由は以下の通りである。（１）異なる電子製品には異なるタイプのキーホールが設けられており、かつロックは皆、単一タイプのキーホールのみを適用している。その結果、ロック選びが難しく、異なる電子製品間で同じロックを使用することは不可能であり、盗難防止のためのコストが増大するばかりでなく、使用に不都合が生じる。（２）従来のロックは、数字ロック解除とキーロック解除の機能を同時に有するために、小型ロックで複雑な部品を有する必要がある。その構成要素の相対的な位置および相互関係は非常に正確でなければならないため、材料コストおよび組立コストが増加し、構成要素の数が多すぎると動作の安定性が大幅に低下する可能性がある。したがって、上記の従来の欠点を克服するために、本考案者は同等の機能を有する前提において、より単純化されたコンビネーションロックを強制的に開く構造を開発した。
【０００３】
このことを踏まえ、考案者は長年にわたり、関連製品の製造開発・設計経験を積み重ねて、細かい設計と丁寧な評価を経て、最終的に実用的な考案を実現した。
【考案の概要】
【考案が解決しようとする課題】
【０００４】
本考案が解決しようとする技術的課題は、従来技術に存在する上述の欠点に鑑みて、電子物品のコンビネーションロックを提供することである。
【課題を解決するための手段】
【０００５】
ロック部材は、一端に複数のナンバーホイールでスリーブされ、ナンバーホイールは、ロック部材が軸方向に変位可能であるかどうかを制御する。ロック部材の他端には尖端棒が形成され、ロック部材には尖端棒とナンバーホイールとの間にロックブロックが設けられている。また、ロックブロックには、尖端棒に向かって傾斜面部が形成されている。ロック部材はバネによってスリーブ状にされ、バネはロックブロックとナンバーホイールとの間に挟まれて配置されている。
ハウジングは、ロック部材を対称的に２つの部分で覆うようになっているので、ナンバーホイールの一部はハウジングに露出する。ハウジングは、ロックブロックを受けるための変位空間を有し、ハウジングは、ロックヘッドを備えて、尖端棒の突き抜けを提供する。また、ロックヘッドには、尖端棒の両側に軸穴が形成され、軸穴から外方に延びて帯状開口部が形成されている。
プッシュボタンは、一端がハウジングの変位空間に挿入されており、かつプッシュボタンは、２つの斜め押し部が対称的に延びており、２つの斜め押し部の間に尖端棒が配置され、斜め押し部は、ロックブロックの傾斜面部に当接している。
２つの連結アームの一端には軸部が形成され、他端にはフック部が形成され、軸部とフック部との間には規制部が形成されている。また、連結アームは、軸部によってハウジングの軸穴に回動が可能に配置され、フック部がハウジングの帯状開口部を突き抜ける。連結アームの規制部は弾性体に連結されている。また、弾性体の弾性力によって２つの連結アームが締め付けられて、尖端棒の通常の締め付けが行われる。
ロックロープの一端にはリングが設けられ、このリングはハウジングのロックヘッドに連結されている。
【０００６】
ロックヘッドには、リング溝が形成されており、このリング溝にはＣ字状連結部材が埋設されている。リングは、Ｃ字状連結部材によってブロックされ、リングをハウジングから取り外すことができず、リングの遮蔽によってＣ字状連結部材が取り外されることが防止される。
【０００７】
また、弾性体はゴム製のリングである。
【０００８】
また、ロックヘッドには、帯状開口部の一面にパッドが取り付けられている。
【０００９】
また、フック部と規制部との間に連結アームが収縮してネック部が形成されている。ネック部によってフック部の間の角度が拡大されている。
【００１０】
また、フック部と規制部との間に連結アームが収縮してネック部が形成されている。ネック部によって２つのフック部の間の角度が拡大されている。
【考案の効果】
【００１１】
本考案の第１の主な目的では、ロック部材は、バネとナンバーホイールとによってスリーブ状にされ、ロック部材の尖端棒の前後変位を制御し、また、尖端棒の両側に２つの連結アームが配置され、弾性体がタイトな形状に形成されている。尖端棒がハウジングの内部に向かって後退すると、２つの連結アームを互いに近接させることができ、異なる電子製品の任意の形状のロック穴に挿入することができる。尖端棒がハウジングの外部に向かって伸びると、２つの連結アームが尖端棒に押し付けられて拡張され、連結アームのフック部が反転してロック穴の内縁に引っ掛けることができる。要約すると、電子製品のロック穴は、一字形、十字形または斜め穴形に限定されない。また、ロック穴を適切に増減させた状態で、連結アームのフック部をスムーズに引っ掛け、盗難防止機能を発揮させることができ、その適用性を向上させることができる。
【００１２】
本考案の第２の主な目的では、ロック部材は、バネとナンバーホイールとでスリーブ状にされており、尖端棒によってロックヘッドと互いに連結された２つの連結アームとの間に通過して配置されている。さらに、ロック部材のロックブロックがプッシュボタンと当接し、最後に、ハウジングを覆い、ロックロープのリングをスリーブ状にして、構造の組み合わせを完成させ、コンポーネント数の削減と組み立ての容易さの機能を有する。
【００１３】
本考案の他の目的、利点および新規な特徴は、以下の詳細な説明および添付図面からより明らかになるであろう。
【図面の簡単な説明】
【００１４】
【図１】本考案の斜視図である。
【図２】本考案の立体分解図である。
【図３】本考案の断面図である。
【図４】本考案の使用状態模式図（１）である。
【図５】本考案の使用状態模式図（２）である。
【図６】本考案の使用状態模式図（３）である。
【図７】本考案の別の使用状態の模式図である。
【考案を実施するための形態】
【００１５】
本考案の目的、特性および有効性をよりよく理解できるようにするために、以下の図面の説明を参照されたい。
【００１６】
図１、図２および図３を参照されたい。ロック部材１０と、ハウジング２０と、プッシュボタン３０と、２つの連結アーム４０と、ロックロープ５０とを備え、ロック部材１０は、一端に複数のナンバーホイール１１でスリーブされ、ナンバーホイール１１は、ロック部材１０が軸方向に変位可能であるかどうかを制御する。ロック部材１０の他端には尖端棒１２が形成され、ロック部材１０には尖端棒１２とナンバーホイール１１との間にロックブロック１３が設けられている。また、ロックブロック１３には、尖端棒１２に向かって傾斜面部１３１が形成されている。ロック部材１０はバネ１４によってスリーブ状にされ、バネ１４はロックブロック１３とナンバーホイール１１との間に挟まれて配置されている。ハウジング２０は、ロック部材１０を対称的に２つの部分で覆うようになっているので、ナンバーホイール１１の一部はハウジング２０に露出する。ハウジング２０は、ロックブロック１３を受けるための変位空間２１を有し、ハウジング２０は、ロックヘッド２２を備えて、尖端棒１２の突き抜けに用いる。また、ロックヘッド２２には、尖端棒１２の両側に軸穴２２１が形成され、軸穴２２１から外方に延びて帯状開口部２２２が形成されている。また、ロックヘッド２２には、帯状の開口部２２２の一面にパッド２３が取り付けられており、パッド２３は、電子製品に対して耐スクラッチの防止効果を発揮する。ハウジング２０の変位空間２１には、プッシュボタン３０の一端が挿入されており、プッシュボタン３０は、２つの斜め押し部３１によって対称的に延びており、２つの斜め押し部３１の間に尖端棒１２が配置され、斜め押し部３１は、ロックブロック１３の傾斜面部１３１に当接している。２つの連結アーム４０の一端には軸部４１が形成され、他端にはフック部４２が形成され、軸部４１とフック部４２との間には規制部４３が形成されている。また、連結アーム４０は、軸部４１によってハウジング２０の軸穴２２１に回動が可能に配置され、フック部４２がハウジング２０の帯状開口部２２２を突き抜ける。連結アーム４０の規制部４３は弾性体４４に連結されており、弾性体４４はゴム製のリング材で形成されている。また、弾性体４４の弾性力によって２つの連結アーム４０が締め付けられて、尖端棒１２の通常の締め付けが行われる。また、フック部４２と規制部４３との間に連結アーム４０が収縮してネック部４５が形成されている。ネック部４５によって２つのフック部４２間の角度が拡大されている。ロックロープ５０の一端にはリング５１が設けられ、このリング５１はハウジング２０のロックヘッド２２に連結され、ロックロープ５０によって外部に巻回されて盗難防止の効果を奏する。ロックヘッド２２には、リング溝２２３が形成されており、このリング溝２２３にはＣ字状連結部材２４が埋設されている。リングは、Ｃ字状連結部材２４によってブロックされ、リング５１をハウジング２０から取り外すことができず、リング５１の遮蔽によってＣ字状連結部材２４が取り外されることが防止される。
【００１７】
本考案の構造の組み合わせは、まず図１から図３までを参照されたい。弾性体４４は、先ず、連結アーム４０の規制部４３に係合し、２つの連結アーム４０は、軸部４１と共にハウジング２０の軸穴２２１に回動が可能に配置され、連結アーム４０のフック部４２は、帯状開口部２２２を突き抜ける。ロック部材１０は、ロックブロック１３とナンバーホイール１１との間にバネ１４が挟み込まれるように、バネ１４とナンバリングホイール１１とに順次挿入される。プッシュボタン３０の２つの斜め押し部３１は尖端棒１２上にさらに配置され、斜め押し部３１は傾斜面部１３１に当接している。組み立てられたロック部材１０は、尖端棒１２によって、ハウジング２０のロックヘッド２２と２つの連結アーム４０との間を通過して押し下げられ、ロックブロック１３、プッシュボタン３０、およびナンバーホイール１１は、ハウジング２０内に配置されている。ロックブロック１３は変位空間２１内に受け入れられ、ツーピースハウジング２０は対称的に覆われ、このとき、ナンバーホイール１１とプッシュボタン３０の一部がハウジング２０に露出されている。ロックロープ５０のリング５１はロックヘッド２２に掛けられ、Ｃ字状連結部材２４はロックヘッド２２のリング溝２２３に掛けられている。リング５１は、ハウジング２０に回転自在に結合されており、実際に使用する形態は、図４、図５及び図６に示す図面を参照されたい。ロック部材１０は、ナンバーホイール１１により回動及びロック解除され、バネ１４の押し込みによってロックブロック１３をロックヘッド２２側に変位させることができる。この状態で、プッシュボタン３０をロックブロック１３の傾斜面部１３１上に押し出して突出状を呈し、ロック部材１０の尖端棒１２をロックヘッド２２の帯状開口部２２２に通して、２つの連結アーム４０のフック部４２が拡げられる。電子製品Ａをロックする際には、さらにプッシュボタン３０を押し込むことができるので、プッシュボタン３０の斜め押し部３１がロックブロック１３の傾斜面部１３１を押して、同時にバネ１４を圧縮しながら、ロックブロック１３と尖端棒１２の両方がナンバーホイール１１に向かって変位する。このとき、尖端棒１２は２つの連結アーム４０を開放しないので、連結アーム４０のフック部４２とネック部４５との間には最小の隙間が形成される。連結アーム４０のフック部４２およびネック部４５は、電子部品Ａのロック穴Ａ１に容易に挿入することができ、挿入後、プッシュボタン３０が解除され、バネ１４の弾性力によりロックブロック１３と尖端棒１２を押し出すことができる。尖端棒１２を用いて２つの連結アーム４０を開き、フック部４２を用いてロック穴Ａ１を引っ掛け、最後に盗難防止用の電子物品を使用することができる。一方、ロック解除を行う場合には、正しいパスワードを選択した後、プッシュボタン３０を押して尖端棒１２を引き戻し、弾性体４４の弾性力で２つの連結アーム４０を閉じることができ、盗難防止機能のロック使用を達する。
【００１８】
上記具体的な実施形態の構成によれば、以下の利点が得られる。（１）ロック部材１０は、バネ１４とナンバーホイール１１とによってスリーブ状にされ、ロック部材１０の尖端棒１２の前後変位を制御し、また、尖端棒１２の両側に２つの連結アーム４０が配置され、弾性体４４がタイトな形状に形成されている。尖端棒１２がハウジング２０の内部に向かって後退すると、２つの連結アーム４０を互いに近接させることができ、異なる電子製品Ａの任意の形状のロック穴Ａ１に挿入することができる。尖端棒１２がハウジング２０の外部に向かって伸びると、２つの連結アーム４０が尖端棒１２に押し付けられて拡張され、連結アーム４０のフック部４２が反転してロック穴Ａ１の内縁に引っ掛けることができる。要約すると、電子製品Ａのロック穴Ａ１は、（図６および図７に示すように）一字形、十字形または斜め穴形に限定されない。また、ロック穴Ａ１を適切に増減させた状態で、連結アーム４０のフック部４２をスムーズに引っ掛け、施錠、盗難防止機能を発揮させることができ、その適用性を向上させることができる。（２）ロック部材１０は、バネ１４とナンバーホイール１１とでスリーブ状にされており、尖端棒によってロックヘッド２２と互いに連結された２つの連結アーム４０との間に通過して配置されている。さらに、ロック部材１０のロックブロック１３がプッシュボタン３０と当接し、最後に、ハウジング２０を覆い、ロックロープ５０のリング５１をスリーブ状にして、構造の組み合わせを完成させ、コンポーネント数の削減と組み立ての容易さの機能を有する。
【００１９】
上記は本考案の好ましい実施形態であり、本考案の範囲はこれに限定されるものではなく、本考案の範疇に含まれる均等な変更および改正は依然として本考案請求項の範囲内に属するものとする。
【００２０】
本考案は、非常に創造的な設計であり、施術者が直面する問題を効果的に解決することに加えて、その効果を著しく高めることができる新しいタイプの考案であることが理解され得る。同じ技術分野では、同一または類似の製品の作成や公衆利用がなく、同時に有効性が向上するため、本考案は「新規性」および「進歩性」の要件を満たしており、法律に従って出願されている。
【符号の説明】
【００２１】
１０  ロック部材
１１  ナンバーホイール
１２  尖端棒
１３  ロックブロック
１３１  傾斜面部
１４  バネ
２０  ハウジング
２１  ディスプレースメントスペース
２２  ロックヘッド
２２１  軸穴
２２２  帯状開口部
２２３  リング溝
２３  パッド
２４  Ｃ字状連結部材
３０  プッシュボタン
３１  斜め押し部
４０  連結アーム
４１  軸部
４２  フック部
４３  規制部
４４  弾性部材
４５  ネック部
５０  ロックロープ
５１  リング
Ａ  電子製品
Ａ１  ロック穴
【図１】
0003220916.tif 000003
【図２】
0003220916.tif 000004
【図３】
0003220916.tif 000005
【図４】
0003220916.tif 000006
【図５】
0003220916.tif 000007
【図６】
0003220916.tif 000008
【図７】
0003220916.tif 000009